(57)【要約】【課題】  顧客が操作性・耐久性、結露水対策の何れの品質を第１に要求する場合でも安価に提供することができる引き違いサッシの施工方法及び引き違いサッシ枠を提供する。【解決手段】  本発明は、持ち出し網戸付き複層ガラス引き違いサッシ１と面付け網戸付き複層ガラス引き違いサッシ２５とがあり、持ち出し網戸付き複層ガラス引き違いサッシ１は、サッシ枠３の見込み寸法が７０ｍｍであると共に、サッシ枠３の内障子走行部１１の見込み寸法Ｂ１が面付け網戸付き複層ガラス引き違いサッシ２５のサッシ枠３の内障子走行部１１の見込み寸法Ｂ２と略同一であり、面付け網戸付き複層ガラス引き違いサッシ２５は、サッシ枠３の見込み寸法が８０ｍｍ以上９０ｍｍ以下であり、サッシ枠３の内障子走行部１１の見込み寸法Ｂ２が外障子走行部１３の見込み寸法Ａ２より小さく、内障子５が持ち出し網戸付き複層ガラス引き違いサッシ１の内障子５と同一である。【選択図】      図１
2006118158.tif 000002
【特許請求の範囲】
【請求項１】
持ち出し網戸付き複層ガラス引き違いサッシと面付け網戸付き複層ガラス引き違いサッシとがあり、持ち出し網戸付き複層ガラス引き違いサッシは、サッシ枠の見込み寸法が７０ｍｍであると共に、サッシ枠の内障子走行部の見込み寸法が面付け網戸付き複層ガラス引き違いサッシのサッシ枠の内障子走行部の見込み寸法と略同一であり、面付け網戸付き複層ガラス引き違いサッシは、サッシ枠の見込み寸法が８０ｍｍ以上９０ｍｍ以下であり、サッシ枠の内障子走行部の見込み寸法が外障子走行部の見込み寸法より小さく、内障子が持ち出し網戸付き複層ガラス引き違いサッシの内障子と同一であり、持ち出し網戸付き複層ガラス引き違いサッシと面付け網戸付き複層ガラス引き違いサッシの何れかを選択して開口部に取付けることを特徴とする引き違いサッシの施工方法。
【請求項２】
屋外側に位置する網戸走行部と、網戸走行部の屋内側に位置する外障子走行部と、外障子走行部の屋内側に位置する内障子走行部とを備え、網戸走行部は面付け網戸の走行部であり、内障子走行部の見込み寸法が外障子走行部の見込み寸法よりも小さくしてあり、サッシ枠の見込み寸法が８０ｍｍ以上９０ｍｍ以下であることを特徴とする引き違いサッシ枠。
【請求項３】
一方及び他方の持ち出し網戸付き複層ガラス引き違いサッシとがあり、他方の持ち出し網戸付き複層ガラス引き違いサッシはサッシ枠の見込み寸法が７０ｍｍであると共にサッシ枠の外障子走行部の見込み寸法が内障子走行部の見込み寸法と略同一であり、一方の持ち出し網戸付き複層ガラス引き違いサッシは、サッシ枠の見込み寸法が８０ｍｍ以上９０ｍｍ以下であると共にサッシ枠の外障子走行部の見込み寸法が内障子走行部の見込み寸法より小さく、一方及び他方の持ち出し網戸付き複層ガラス引き違いサッシは、各サッシ枠の網戸走行レール部の見込み寸法が略同一であると共に各外障子走行部の見込み寸法が略同一であり且つ外障子が同一であり、一方及び他方の持ち出し網戸付き複層ガラス引き違いサッシの何れかを選択して開口部に取付けることを特徴とする引き違いサッシの施工方法
【請求項４】
屋外側に位置する網戸走行部と、網戸走行部の室内側に位置する外障子走行部と、外障子走行部の屋内側に位置する内障子走行部とを備え、網戸走行部は持ち出し網戸の戸車部が走行する部分であり、サッシ枠の外障子走行部の見込み寸法が内障子走行部の見込み寸法より小さくしてあり、サッシ枠の見込み寸法が８０ｍｍ以上９０ｍｍ以下であることを特徴とする引き違いサッシ枠。
【請求項５】
持ち出し網戸付き複層ガラス引き違いサッシと面付け網戸付き複層ガラス引き違いサッシとがあり、各々サッシ枠の見込み寸法が８０ｍｍ以上９０ｍｍ以下であり、持ち出し網戸付き複層ガラス引き違いサッシは、サッシ枠の外障子走行部の見込み寸法が内障子走行部の見込み寸法より小さく、面付け網戸付き複層ガラス引き違いサッシは、サッシ枠の内障子走行部の見込み寸法が外障子走行部の見込み寸法より小さく、持ち出し網戸付き複層ガラス引き違いサッシと面付け網戸付き複層ガラス引き違いサッシの何れかを選択して開口部に取付けることを特徴とする引き違いサッシの施工方法。
【発明の詳細な説明】
【技術分野】
【０００１】
本発明は、内障子と、外障子と、網戸とを有する引き違いサッシの施工方法及び引き違いサッシ枠に関する。
【背景技術】
【０００２】
非特許文献１のＰ４８５には、図５及び図６に示すように、見込み寸法７０ｍｍである引き違いサッシ枠に複層ガラスの内障子及び外障子と、網戸とを配置した複層ガラス引き違いサッシが開示されている。この引き違いサッシでは、内障子の屋内側部分がサッシ枠よりも屋内側に突出し、外障子の屋外側部分がサッシ枠よりも屋外側に突出すると共に網戸には持ち出し網戸を用いている。
また、非特許文献１のＰ５８５には見込み寸法１００ｍｍである引き違いサッシ枠に複層ガラスの内障子及び外障子と、網戸とを配置した複層ガラス引き違いサッシが開示されている。この引き違いサッシにおいては、面付け網戸が用いられているが内障子の屋内側部分がサッシ枠よりも屋内側に突出している。
そして、引き違いサッシの見込み寸法は７０ｍｍ又は１００ｍｍが一般的である。
【０００３】
【非特許文献１】三協アルミニウム工業株式会社発行「三協アルミ  ビル用建材  総合カタログ」  カタログ番号：ＨＨＢ００７７Ｃ（情報館受入平成１６年５月1６日）Ｐ４８５、Ｐ５４８
【発明の開示】
【発明が解決しようとする課題】
【０００４】
しかし、内障子の屋内側部分がサッシ枠内から屋内側に突出していると内障子の屋内側部分に付いた結露水がサッシ枠内から屋内に落下したり、カーテンを濡らすという欠点がある。
また、持ち出し網戸は網戸の本体部が戸車部よりも屋外側にあり、網戸の重心が戸車部よりも屋外側にずれた位置にあるので操作性・耐久性に劣るという欠点がある。
そして、枠の見込み寸法が１００ｍｍの引き違いサッシは、材料費等の理由から枠の見込み寸法が７０ｍｍの引き違いサッシよりも高価になるという欠点があった。
【０００５】
ついては、内障子の屋内側部分をサッシ枠内に収めることにより室内側を濡らさない結露水対策の良好なサッシを顧客のニーズに応じて安価に提供すること、及び持ち出し網戸を用いずに面付け網戸を用いることにより操作性・耐久性の良好なサッシを顧客のニーズに応じて安価に提供することが求められていた。
そこで、本発明は、これらに対応できる引き違いサッシの施工方法及び引き違いサッシ枠の提供を目的とする。
【課題を解決するための手段】
【０００６】
請求項１に記載の発明は、持ち出し網戸付き複層ガラス引き違いサッシと面付け網戸付き複層ガラス引き違いサッシとがあり、持ち出し網戸付き複層ガラス引き違いサッシは、サッシ枠の見込み寸法が７０ｍｍであると共に、サッシ枠の内障子走行部の見込み寸法が面付け網戸付き複層ガラス引き違いサッシのサッシ枠の内障子走行部の見込み寸法と略同一であり、面付け網戸付き複層ガラス引き違いサッシは、サッシ枠の見込み寸法が８０ｍｍ以上９０ｍｍ以下であり、サッシ枠の内障子走行部の見込み寸法が外障子走行部の見込み寸法より小さく、内障子が持ち出し網戸付き複層ガラス引き違いサッシの内障子と同一であり、持ち出し網戸付き複層ガラス引き違いサッシと面付け網戸付き複層ガラス引き違いサッシの何れかを選択して開口部に取付けることを特徴とする。
【０００７】
請求項２に記載の発明は、屋外側に位置する網戸走行部と、網戸走行部の屋内側に位置する外障子走行部と、外障子走行部の屋内側に位置する内障子走行部とを備え、網戸走行部は面付け網戸の走行部であり、内障子走行部の見込み寸法が外障子走行部の見込み寸法よりも小さくしてあり、サッシ枠の見込み寸法が８０ｍｍ以上９０ｍｍ以下であることを特徴とする。
【０００８】
請求項３に記載の発明は、一方及び他方の持ち出し網戸付き複層ガラス引き違いサッシとがあり、他方の持ち出し網戸付き複層ガラス引き違いサッシはサッシ枠の見込み寸法が７０ｍｍであると共にサッシ枠の外障子走行部の見込み寸法が内障子走行部の見込み寸法と略同一であり、一方の持ち出し網戸付き複層ガラス引き違いサッシは、サッシ枠の見込み寸法が８０ｍｍ以上９０ｍｍ以下であると共にサッシ枠の外障子走行部の見込み寸法が内障子走行部の見込み寸法より小さく、一方及び他方の持ち出し網戸付き複層ガラス引き違いサッシは、各サッシ枠の網戸走行レール部の見込み寸法が略同一であると共に各外障子走行部の見込み寸法が略同一であり且つ外障子が同一であり、一方及び他方の持ち出し網戸付き複層ガラス引き違いサッシの何れかを選択して開口部に取付けることを特徴とする。
【０００９】
請求項４に記載の発明は、屋外側に位置する網戸走行部と、網戸走行部の室内側に位置する外障子走行部と、外障子走行部の屋内側に位置する内障子走行部とを備え、網戸走行部は持ち出し網戸の戸車部が走行する部分であり、サッシ枠の外障子走行部の見込み寸法が内障子走行部の見込み寸法より小さくしてあり、サッシ枠の見込み寸法が８０ｍｍ以上９０ｍｍ以下であることを特徴とする。
【００１０】
請求項５に記載の発明は、持ち出し網戸付き複層ガラス引き違いサッシと面付け網戸付き複層ガラス引き違いサッシとがあり、各々サッシ枠の見込み寸法が８０ｍｍ以上９０ｍｍ以下であり、持ち出し網戸付き複層ガラス引き違いサッシは、サッシ枠の外障子走行部の見込み寸法が内障子走行部の見込み寸法より小さく、面付け網戸付き複層ガラス引き違いサッシは、サッシ枠の内障子走行部の見込み寸法が外障子走行部の見込み寸法より小さく、持ち出し網戸付き複層ガラス引き違いサッシと面付け網戸付き複層ガラス引き違いサッシの何れかを選択して開口部に取付けることを特徴とする。
【発明の効果】
【００１１】
請求項１に記載の発明によれば、面付け網戸付き複層ガラス引き違いサッシについては、サッシ枠の外障子走行部の見込み寸法のみを内障子走行部の見込み寸法より大きく設定し全体の寸法を８０ｍｍ以上９０ｍｍ以下に設定してあることや、持ち出し網戸付き複層ガラス引き違いサッシと内障子を同一にして兼用できるようにしてあることから、製造コストを削減することができる。ついては、操作性・耐久性の良好な面付け網戸付き複層ガラス引き違いサッシを要望する顧客には、これを安価に提供することができる。
【００１２】
請求項２に記載の発明によれば、サッシ枠の外障子走行部の見込み寸法を内障子走行部の見込み寸法より大きく設定し全体の見込み寸法を８０ｍｍ以上９０ｍｍ以下に設定してあることから、枠見込み寸法が１００ｍｍのものに比較して製造コストを大きく削減することができる。ついては、操作・耐久性の良好な面付け網戸付き複層ガラス引き違いサッシを要望する顧客には、これを安価に提供することができる。
【００１３】
請求項３に記載の発明によれば、一方の持ち出し網戸付き複層ガラス引き違いサッシについては、サッシ枠の内障子走行部の見込み寸法を外障子走行部の見込み寸法より大きく設定し、全体の寸法を８０ｍｍ以上９０ｍｍ以下に設定してあることや、網戸走行レール部の見込み寸法及び外障子走行部の見込み寸法を略同一にして持ち出し網戸及び外障子を兼用できるようにしてあることから、製造コストを削減することができる。ついては、室内側を濡らさない結露体策の良好な持ち出し網戸付き複層ガラス引き違いサッシを要望する顧客には、これを安価に提供することができる。
【００１４】
請求項４に記載の発明によれば、サッシ枠の内障子走行部の見込み寸法を外障子走行部の見込み寸法より大きく設定し、全体の見込み寸法を８０ｍｍ以上９０ｍｍ以下に設定してあることから、枠見込み寸法が１００ｍｍのものに比較して製造コストを大きく削減することができる。ついては、室内側を濡らさない結露体策の良好な持ち出し網戸付き複層ガラス引き違いサッシを要望する顧客には、これを安価に提供することができる。
【００１５】
請求項５に載の発明によれば、面付け網戸付き複層ガラス引き違いサッシについては、サッシ枠の外障子走行部の見込み寸法のみを内障子走行部の見込み寸法より大きく設定し全体の寸法を８０ｍｍ以上９０ｍｍ以下に設定してあることから、枠見込み寸法が１００ｍｍのものに比較して製造コストを削減することができる。ついては、操作性・耐久性の良好な面付け網戸付き複層ガラス引き違いサッシを要望する顧客には、これを安価に提供することができる。
持ち出し網戸付き複層ガラス引き違いサッシについては、サッシ枠の内障子走行部の見込み寸法を外障子走行部の見込み寸法より大きく設定し、全体の寸法を８０ｍｍ以上９０ｍｍ以下に設定してあることから、枠見込み寸法が１００ｍｍのものに比較して製造コストを削減することができる。ついては、室内側を濡らさない結露体策の良好な持ち出し網戸付き複層ガラス引き違いサッシを要望する顧客には、これを安価に提供することができる。
即ち、操作性・耐久性の良好な面付け網戸付き複層ガラス引き違いサッシと室内側を濡らさない結露体策の良好な持ち出し網戸付き複層ガラス引き違いサッシとをいずれの場合にも顧客の要望に応じて安価に提供することができる。
【発明を実施するための最良の形態】
【００１６】
以下に、添付図面の図１及び図２と、図５及び図６を参照して本発明の第１実施の形態を説明する。図１は面付け網戸付き複層ガラス引き違いサッシの縦断面図であり、図２は面付け網戸付き複層ガラス引き違いサッシの横断面図であり、図５は持ち出し網戸付き複層ガラス引き違いサッシの縦断面図であり、図６は持ち出し網戸付き複層ガラス引き違いサッシの横断面図である。
まず、図５及び図６を参照して、持ち出し網戸付き複層ガラス引き違いサッシ（第２実施の形態では、他方の持ち出し網戸付き複層ガラス引き違いサッシ）１について説明する。この持ち出し網戸付き複層ガラス引き違いサッシ１は、サッシ枠の見込み寸法を小さくすることを優先する顧客ニーズに応じるものであり、サッシ枠３と、内障子５と、外障子７と、持ち出し網戸９とを備えている。
サッシ枠３は、内障子走行部１１と、外障子走行部１３と、網戸走行部１５とを有しており、内障子走行部１１には内障子走行レール１４が設けてあり、外障子走行部１３には外障子走行レール１７が設けてある。網戸走行部１５は持ち出し網戸９の走行レールである。
持ち出し網戸付き複層ガラス引き違いサッシ１のサッシ枠３の見込み寸法Ｍ１は７０ｍｍである。
サッシ枠３において、外障子走行部１３の見込み寸法Ａ１と内障子走行部１１の見込み寸法Ｂ１とは略同一の寸法になっている（Ａ１＝Ｂ１）。
内障子５は複層ガラスの障子であり、屋内側部分５ｃがサッシ枠３内から屋内側に突出している。
外障子７は複層ガラスの障子であり、屋外側部分７ｃがサッシ枠３内から屋内側に突出している。
持ち出し網戸９は、サッシ枠３の網戸走行部１５に係合して走行自在であり、本体部分９ｂをサッシ枠３内から屋外側に突出して戸車部分９ａを網戸走行部１５に配置している。
次に、図１及び図２を参照して面付け網戸付き複層ガラス引き違いサッシ２５について説明するが、上述した引き違いサッシ１と同一の作用効果を奏する部分には同一の符号を付してその部分の詳細な説明を省略して以下の説明では、主に異なる部分について説明する。この面付け網戸付き複層ガラス引き違いサッシ２５は、上述の持ち出し網戸付き複層ガラス引き違いサッシ１に換えて、操作性・耐久性の良好な面付け網戸付き複層ガラス引き違いサッシを要望する顧客ニーズに応じるものである。
面付け網戸付き複層ガラス引き違いサッシ２５のサッシ枠３の見込み寸法Ｍ２は、８５ｍｍである。
面付け網戸付き複層ガラス引き違いサッシ２５のサッシ枠３の内障子走行部１１の見込み寸法Ｂ２が外障子走行部１３の見込み寸法Ａ２より小さくなっている（Ａ２＞Ｂ２）。また、内障子走行部１１の見込み寸法Ｂ２は、持ち出し網戸付き複層ガラス引き違いサッシ１のサッシ枠３の内障子走行部１１の見込み寸法Ｂ１と略同じ寸法である（Ｂ１＝Ｂ２）。
外障子７は、屋外側面７ｂがサッシ枠３内に収まっており、面付け網戸付き複層ガラス引き違いサッシ２５の外障子７には、サッシ枠内から屋外側に突設する屋外側部分７ｃがない点が、持ち出し網戸付き複層ガラス引き違いサッシ１の外障子７と異なっている。
網戸走行部１５には、面付け網戸２７が設けられており、外障子７は、サッシ枠３内において面付け網戸２７と内障子５の間に配置してある。面付け網戸２７は屋外側部分２７ａをサッシ枠３内から屋外側に突出して、戸車部分２７ｂを網戸走行部１５に係合してある。
内障子５は、持ち出し網戸付き複層ガラス引き違いサッシ１の内障子５と同一のものが用いられており、持ち出し網戸付き複層ガラス引き違いサッシ１と同様に屋内側部分５ｃをサッシ枠３から屋内側に突出して配置している。
【００１７】
次に、第１実施の形態にかかる引き違いサッシの施工方法、作用及び効果について説明する。本実施の形態にかかる引き違いサッシの施工方法は、持ち出し網戸付き複層ガラス引き違いサッシ１と面付け網戸付き複層ガラス引き違いサッシ２５とを選択して開口部１０に取付けるものである。
サッシ枠の見込み寸法を小さくすることを優先する顧客ニーズに応じるため、持ち出し網戸付き複層ガラス引き違いサッシ１の施工をするときは、開口部１０にサッシ枠３を固定し、内障子５の屋内側部分５ｃをサッシ枠３内から屋内側に突出して内障子５をサッシ枠３の内障子走行部１１に配置し、内障子走行レール１４に係合する。
外障子７は、屋外側部分７ｃをサッシ枠３内から屋外側に突出して外障子走行部１３に配置して、外障子走行レール１７に係合する。
持ち出し網戸９は、本体部分９ｂをサッシ枠３内から屋外側に突出して戸車部分９ａを網戸走行部１５に係合する。
一方、持ち出し網戸９に換えて面付け網戸２７を使用したいという顧客ニーズに応じるため、開口部１０に面付け網戸付き複層ガラス引き違いサッシ２５の施工をするときに、持ち出し網戸付き複層ガラス引き違い１の内障子５と同一の内障子５を用いて、持ち出し網戸付き複層ガラス引き違い１の場合と同じように、内障子５の屋内側部分５ｃをサッシ枠３内から屋内側に突出して内障子５をサッシ枠３の内障子走行部１１に配置し、内障子走行レール１４に係合する。
外障子７は、サッシ枠３内に収まった状態で外障子走行部１３に配置して、外障子走行レール１７に係合する。
面付け網戸２７は屋外側部分２７ａをサッシ枠３内から屋外側に突出して、戸車部分２７ｂを網戸走行部１５に係合する。
本実施の形態によれば、サッシ枠の見込み寸法を小さくすることを優先する持ち出し網戸付き複層ガラス引き違いサッシ１を施工する場合には、内障子５の屋内側部分５ｃをサッシ枠３内から屋内側に突設して配置し、外障子７の屋外側部分７ｃをサッシ枠３内から屋外側に突設して配置して、持ち出し網戸を用いることにより、見込み寸法Ｍ１が７０ｍｍの最小限の規格寸法のサッシ枠を用いることができる。
一方、操作性・耐久性の良好な面付け網戸付き複層ガラス引き違いサッシを要望する顧客ニーズの場合には、見込み寸法が８５ｍｍのサッシ枠を用いて、外障子７をサッシ枠３内に収める。したがって、見込み寸法が７０ｍｍより大きい次の規格である１００ｍｍや１２０ｍｍの見込み寸法のサッシ枠を用いる必要がなく、顧客ニーズに応じた引き違いサッシでありながらサッシ枠の見込み寸法が必要以上に大きくならないで済むと共に見込み寸法が１００ｍｍや１２０ｍｍのものに比較してサッシ枠の製造コストを安くできるから安価な引き違いサッシを提供できる。
更に、サッシ枠３の外障子走行部１３の見込み寸法Ａ２のみを内障子走行部１１の見込み寸法Ｂ２より大きく設定し全体の寸法を８０ｍｍ以上９０ｍｍ以下に設定してあることや、持ち出し網戸付き複層ガラス引き違いサッシ１と内障子５を同一にして兼用できるようにしてあることから、製造コストを削減することができる。ついては、操作性・耐久性の良好な面付け網戸付き複層ガラス引き違いサッシを要望する顧客には、これを安価に提供することができる。
尚、本実施の形態及び以下に説明する実施の形態において、面付け網戸付き複層ガラス引き違いサッシ２５（以下の実施の形態における一方の持ち出し網戸付き複層ガラス引き違いサッシ３１）のサッシ枠３の見込み寸法が８０ｍｍ以上としたのは、７９ｍｍでは内障子の室内側と複層ガラス付き外障子の室外側の両方がサッシ枠から食み出すことからであり、サッシ枠の見込み寸法が９０ｍｍ以下としてあるのは、９１ｍｍ以上では、１００ｍｍのものに近似し製造コスト削減の観点から大きな効果が得られなくなるからである。
持ち出し網戸付き複層ガラス引き違いサッシ１と面付け網戸付き複層ガラス引き違いサッシ２５とを選択して施工を行う場合に、持ち出し網戸付き複層ガラス引き違いサッシ１は、サッシ枠３の内障子走行部１１の見込み寸法Ｂ１が面付け網戸付き複層ガラス引き違いサッシ２５の内障子走行部１１の見込み寸法Ｂ２と略同一であるから、いずれの場合にも同一の内障子５を共通して用いることができ、部品の共通化を図ることができるので、安価な引き違いサッシを提供できる。
持ち出し網戸付き複層ガラス引き違いサッシ１と、面付け網戸付き複層ガラス引き違いサッシ２５との施工は、いずれも、同一の内障子５を用いて且つ内障子５の屋内側部分をサッシ枠３から屋内側に突出して配置するので、異なる形態の引き違いサッシ１、２５であっても内障子５については共通した施工ができる。
【００１８】
次に、図３〜図６を参照して本発明の第２実施の形態について説明する。図５及び図６については既に説明したが、以下の説明では、図５及び図６に示す持ち出し網戸付き複層ガラス引き違いサッシを他方の持ち出し網戸付き複層ガラス引き違いサッシ１として説明するもので、それ以外は上述した説明と同じであり、図３及び図４に示す一方の持ち出し網戸付き複層ガラス引き違いサッシ３１については、他方の持ち出し網戸付き複層ガラス引き違いサッシ１と同一の作用効果を奏する部分には、同一の符号を付することによりその部分の詳細な説明を省略する。
この第２実施の形態では、他方の持ち出し網戸付き複層ガラス引き違いサッシ１は、サッシ枠の見込み寸法を小さくすることを優先する顧客ニーズに応じるものであり、一方の持ち出し網戸付き複層ガラス引き違いサッシ３１は、内障子５をサッシ枠３内に収めてサッシ枠内から屋内側に突設しないようにしたいという顧客ニーズに応じるものである。
一方の持ち出し網戸付き複層ガラス引き違いサッシ３１のサッシ枠３では、外障子走行部１３の見込み寸法Ａ３が内障子走行部１１の見込み寸法Ｂ３より小さくなっている（Ａ３＜Ｂ３）。一方の持ち出し網戸付き複層ガラス引き違いサッシ３１のサッシ枠３の外障子走行部１３の見込み寸法Ａ３と他方の持ち出し網戸付き複層ガラス引き違いサッシ１のサッシ枠３の外障子走行部１３の見込み寸法Ａ１とが略同一である（Ａ１＝Ａ３）。一方の持ち出し網戸付き複層ガラス引き違いサッシ３１のサッシ枠３の網戸走行部１５の見込み寸法Ｃ３は、他方の持ち出し網戸付き複層ガラス引き違いサッシ１のサッシ枠３の網戸走行部１５の見込み寸法Ｃ１と略同一（Ｃ３＝Ｃ１）である。
他方の持ち出し網戸付き複層ガラス引き違いサッシのサッシ枠の見込み寸法Ｍ１が７０ｍｍであるのに対して、一方の持ち出し網戸付き複層ガラス引き違いサッシ３１のサッシ枠３の見込み寸法Ｍ３は８５ｍｍであり、内障子５は、屋内側面５ａがサッシ枠３内に収まっており、内障子５がサッシ枠３内から屋内側に突設していない点が、他方の持ち出し網戸付き複層ガラス引き違いサッシ１の内障子５と異なっている。
一方の持ち出し網戸付き複層ガラス引き違いサッシ３１の外障子７には、他方の持ち出し網戸付き複層ガラス引き違いサッシ１の外障子７と同じものが用いられており、屋外側部分７ｃがサッシ枠３内から屋内側に突出して配置されている。
【００１９】
次に、第２実施の形態にかかる引き違いサッシの施工方法、作用及び効果について説明する。本実施の形態にかかる引き違いサッシの施工方法は、内障子５がサッシ枠３内に収まる一方の持ち出し網戸付き複層ガラス引き違いサッシ３１と、内障子５の屋内側部分５ｃがサッシ枠内から屋内側に突出した他方の持ち出し網戸付き複層ガラス引き違いサッシ１の何れかを選択して開口部１０に取付けるものである。
一方の持ち出し網戸付き複層ガラス引き違いサッシ３１の施工は、開口部１０にサッシ枠３を固定し、内障子５をサッシ枠３内に収めて内障子走行部１１に配置し、内障子走行部１１のレール係合部１９に係合する。
外障子７は、外障子７の屋外側部分７ｃをサッシ枠３内から屋外側に突出して外障子走行部１３に配置し、外障子走行部１３のレール係合部１７に係合する。
持ち出し網戸９は戸車部分９ａを除く本体部分９ｂをサッシ枠３の屋外側に持ち出して網戸走行部１５に配置する。
他方の持ち出し網戸付き複層ガラス引き違いサッシ１の施工は、開口部１０にサッシ枠３を固定し、内障子５の屋内側部分５ｃがサッシ枠内から屋内側に突出して内障子走行部１１に配置して、内障子走行部１１のレール係合部１４に係合する。
外障子７は、一方の持ち出し網戸付き複層ガラス引き違いサッシ３１と同一の外障子７を用いて、屋外側部分７ｃをサッシ枠内３から屋外側に突出して外障子走行部１３に配置する。
持ち出し網戸９は戸車部９ａを除く本体部分９ｂをサッシ枠３の屋外側に持ち出して網戸走行部１５に係合する。
第２実施の形態によれば、他方の持ち出し網戸付き複層ガラス引き違いサッシ１は、サッシ枠の見込み寸法を小さくすることを優先する顧客ニーズに応じることができる。一方の持ち出し網戸付き複層ガラス引き違い３１は、内障子５がサッシ枠３内に収まるから室内側を濡らさない結露体策の良好な持ち出し網戸付き複層ガラス引き違いサッシを要望する顧客ニーズに応じることができる。
他方の持ち出し網戸付き複層ガラス引き違いサッシのサッシ枠の見込み寸法は７０ｍｍであるが、一方の持ち出し網戸付き複層ガラス引き違いサッシのサッシ枠の見込み寸法は８５ｍｍであり、見込み寸法が７０ｍｍより大きな次の寸法の規格である１００ｍｍや１２０ｍｍの見込み寸法のサッシ枠を用いる必要がなく、顧客ニーズに応じた引き違いサッシでありながらサッシ枠の見込み寸法が必要以上に大きくならないで済むと共に枠見込み寸法が１００ｍｍや１２０ｍｍのものに比較してサッシ枠の製造コストを安くできるから安価な引き違いサッシを提供できる。
一方の持ち出し網戸付き複層ガラス引き違いサッシ３１と他方の持ち出し網戸付き複層ガラス引き違いサッシ１の何れかを選択して施工を行う場合に、一方の持ち出し網戸付き複層ガラス引き違いサッシ３１のサッシ枠３と他方の持ち出し網戸付き複層ガラス引き違いサッシ１のサッシ枠３では、各網戸走行レール部１５の見込み寸法Ｃ３、Ｃ１が略同一であり、且つ各外障子走行部の見込み寸法Ａ３、Ａ１が略同一であるから、一方及び他方のいずれの持ち出し網戸付き複層ガラス引き違いサッシ３１、１を施工する場合にも外障子７と持ち出し網戸９とを共通して用いることができ、部品の共通化を図ることができるので、安価な引き違いサッシを提供できる。
内障子５がサッシ枠３内から内側に突出しない一方の持ち出し網戸付き複層ガラス引き違いサッシ３１と、内障子５の屋内側部分５ｃがサッシ枠３内から内側に突出する他方の持ち出し網戸付き複層ガラス引き違いサッシ１との施工は、いずれも、同一の外障子７と同一の持ち出し網戸９を用いて共通した施工ができ、異なる種類の引き違いサッシ３１、１を選択して開口部に取付ける顧客ニーズに容易に対応できる。
【００２０】
次に、図１〜図４を参照して本発明の第３実施の形態について説明する。図１〜図４については第１実施の形態及び第２実施の形態で既に説明した通りである。
この第３実施の形態では、図１及び図２に示す面付き網戸付き複層ガラス引き違いサッシ２５と、図３及び図４に示す持ち出し網戸付き複層ガラス引き違いサッシ（一方の持ち出し網戸付き複層ガラス引き違いサッシ）３１とを選択する顧客ニーズに応じるものである。
持ち出し網戸付き複層ガラス引き違いサッシ３１は、サッシ枠３の外障子走行部の見込み寸法Ａ３が内障子走行部の見込み寸法Ｂ３より小さくしてあるので（Ａ３＜Ｂ３）、サッシ枠３の見込み寸法を最小限にしつつ、外障子７の屋外側部分７ｃをサッシ枠３内から屋外側に突設して配置し、内障子５はサッシ枠３内に収めることができる。
面付け網戸付き複層ガラス引き違いサッシ２５は、サッシ枠３の内障子走行部１１の見込み寸法Ｂ２が外障子走行部１３の見込み寸法Ａ２より小さくしてあるので（Ｂ２＜Ａ２）、サッシ枠３の見込み寸法を最小限にしつつ、内障子５の室内側部分５ｃはサッシ枠内から室内側に突設して配置し、網戸を面付け網戸にすることができる。
この第３実施の形態によれば、操作性・耐久性の良好な面付け網戸付き複層ガラス引き違いサッシ２５と、内障子をサッシ枠３内に収めて室内側を濡らさない結露体策の良好な持ち出し網戸付き複層ガラス引き違いサッシ３１とを顧客の要望に応じて提供することができる。
また、面付け網戸付き複層ガラス引き違いサッシ２５のサッシ枠３及び持ち出し網戸付き複層ガラス引き違いサッシ３１のサッシ枠３のいずれの場合にも、サッシ枠の見込み寸法Ｍ２及びＭ３は８０ｍｍ以上９０ｍｍ以下であるから、従来の見込み寸法１００ｍｍの規格のものを用いる場合よりもサッシ枠の見込み寸法を小さくでき且つ安価な引き違いサッシを提供できる。
いずれのサッシ枠３の見込み寸法も８０ｍｍ以上としているのは、持ち出し網戸付き複層ガラス引き違いサッシ３１で少なくとも複層ガラスの内障子５をサッシ枠３内に収める為に必要な最低限の寸法だからであり、面付け網戸付き複層ガラス引き違いサッシ２５で面付け網戸２７を取付けるために複層ガラスの外障子７をサッシ枠３内に収める為に必要最低限の寸法だからである。
【００２１】
本発明は、上述した実施の形態に限らず、本発明の要旨を逸脱しない範囲で種々変形可能である。
例えば、各引き違いサッシ１、２５、３１における内障子５、外障子７、網戸９、２７の施工順序は、外障子７、内障子５、網戸９、２７の順番で施工するものであってもよく、これらの施工順序は問わない。
面付け網戸付き複層ガラス引き違いサッシ２５や一方の持ち出し網戸付き複層ガラス引き違いサッシ３１のサッシ枠の見込み寸法は８５ｍｍに限らず、８３ｍｍや９０ｍｍ等、７０ｍｍよりも大きく１００ｍｍよりも小さいものであれば良い。
【図面の簡単な説明】
【００２２】
【図１】面付け網戸付き複層ガラス引き違いサッシの縦断面図である。
【図２】面付け網戸付き複層ガラス引き違いサッシの横断面図である。
【図３】一方の持ち出し網戸付き複層ガラス引き違いサッシの縦断面図である。
【図４】一方の持ち出し網戸付き複層ガラス引き違いサッシの横断面図である。
【図５】持ち出し網戸付き複層ガラス引き違いサッシ（他方の持ち出し網戸付き複層ガラス引き違いサッシ）の縦断面図である。
【図６】持ち出し網戸付き複層ガラス引き違いサッシ（他方の持ち出し網戸付き複層ガラス引き違いサッシ）の横断面図である。
【符号の説明】
【００２３】
１      持ち出し網戸付き複層ガラス引き違いサッシ（他方の持ち出し網戸付き複層ガラス引き違いサッシ）
３      サッシ枠
５      内障子
５ｃ    屋内側部分
７      外障子
７ｃ    屋外側部分
９      持ち出し網戸
９ａ    戸車部分
９ｂ    本体部分
１１    内障子走行部
１３    外障子走行部
１５    網戸走行部
２５    面付け網戸付き複層ガラス引き違いサッシ
２７    面付け網戸
２７ａ  屋外側部分
３１    一方の持ち出し網戸付き複層ガラス引き違いサッシ
Ａ１、Ａ２、Ａ３    外障子走行部の見込み寸法
Ｂ１、Ｂ２、Ｂ３    内障子走行部の見込み寸法
Ｃ１、Ｃ３          網戸走行レール部の見込み寸法
Ｍ１、Ｍ２、Ｍ３    サッシ枠の見込み寸法
【図１】
2006118158.tif 000003
【図２】
2006118158.tif 000004
【図３】
2006118158.tif 000005
【図４】
2006118158.tif 000006
【図５】
2006118158.tif 000007
【図６】
2006118158.tif 000008